(57)【要約】【課題】パスワードの入力無しに、視聴できるコンテンツを制限した録画再生装置を提供する。【解決手段】制御部２は、ＨＤ１０に記録されているタイトル一覧を、保護者によって指定された隠蔽タイトルを除いて、ＴＶ７０において表示する。この場合、子供が隠蔽タイトルを選択できない。即ち、隠蔽タイトルを再生できない。一方、隠蔽タイトルを視聴したい場合、保護者は、解除キーが記憶されているＵＳＢメモリ９０をＵＳＢコネクタ９に装着すればよい。ＵＳＢメモリ９０に解除キーが記憶されている場合、制御部２は、指定された隠蔽タイトルの内、ＵＳＢメモリ９０に記憶されている解除キーに対応付けられているタイトルのみ、表示禁止を一時的に解除する。これにより、保護者は、隠蔽タイトルの恋愛番組Ｂを再生できる。【選択図】  図７
2008271005.tif 000002
【特許請求の範囲】
【請求項１】
コンテンツデータがタイトル毎に記録されているメディアを参照して、前記メディア中のタイトルの一覧を再生開始前に表示する表示手段と、
前記表示手段で表示される前記一覧の中からタイトルが選択されると、そのタイトルを前記メディアから読取って再生する再生手段と、を備える録画再生装置において、
前記表示手段で表示される前記一覧の中で、表示を禁止するタイトルの指定を受付ける操作手段と、
前記操作手段で指定された前記タイトルの表示禁止を解除するための解除キーを予め記憶する半導体メモリが装着されるコネクタと、
前記操作手段で前記タイトルが指定されると、そのタイトルと、前記半導体メモリに記憶されている前記解除キーと、を前記メディア上で対応付ける記録手段と、を備え、
前記表示手段は、
前記一覧表示の際、前記操作手段で指定された前記メディア中の前記タイトルの表示を禁止し、
前記一覧表示の際、前記コネクタに前記半導体メモリが装着されている場合、前記操作手段で指定された前記メディア中の前記タイトルの内、その半導体メモリに記憶されている前記解除キーに対応付けられている前記タイトルのみ、前記表示禁止を解除する録画再生装置。
【請求項２】
前記記録手段は、前記コネクタに装着される半導体メモリに前記解除キーを記録する請求項１に記載の録画再生装置。
【請求項３】
前記記録手段は、前記対応付けとして、前記操作手段で指定された前記タイトルを、前記半導体メモリに記憶されている前記解除キーで不可視化する請求項１又は２に記載の録画再生装置。
【請求項４】
前記メディアは、ハードディスクであり、
前記半導体メモリは、ＵＳＢメモリである請求項１から３のいずれかに記載の録画再生装置。
【発明の詳細な説明】
【技術分野】
【０００１】
本発明は、メディアに記録されているタイトルの一覧を画面に表示する録画再生装置に関するものである。
【背景技術】
【０００２】
従来、ハードディスク（ＨＤ）やＤＶＤ（Digital Versatile Disk）などのメディアに記録されたコンテンツを読取って再生する録画再生装置が一般に普及している。
このような従来の録画再生装置は、再生開始前に、メディアに記録されているタイトルの一覧を画面に表示する。ユーザは、このタイトルの一覧を画面で見て、タイトルの一覧の中から所望のタイトルを選択する。すると、従来の録画再生装置は、選択された所望のタイトルをメディアから読取って再生する。
【０００３】
近年、メディアに記録されるコンテンツには、子供の教育上好ましくない、過激な暴力シーンや恋愛シーンなどを含むソフトが増えてきている。そのため、このようなコンテンツを子供に見せたくないと思い、子供が視聴できるコンテンツを制限したいと考える保護者（主に親）が多くなってきている。
なお、特許文献１では、デジタル録画処理装置が提案されている。
【特許文献１】特開２００３−２３００８０公報
【発明の開示】
【発明が解決しようとする課題】
【０００４】
しかしながら、これまで家庭で利用されている録画再生装置については、ユーザを制限する必要性が低かったことから、プロテクトをかけるという考えがなかった。そのため、子供を含む全てのユーザが、上記タイトルの一覧を画面で見て、タイトルの一覧の中から所望のタイトルを自由に選択していた。従って、従来の録画再生装置には、教育上好ましくないコンテンツを子供が再生して視聴してしまうという問題があった。
そこで、家庭で利用されている録画再生装置においても、パスワードによってプロテクトをかけ、利用を制限する方法が考えられる。しかし、パスワードの入力や管理には手間がかかるため、ユーザの使い勝手（ユーザビリティ）を悪化させてしまう。
【０００５】
本発明はこのような従来の課題を解決しようとするものであり、パスワードの入力無しに、視聴できるコンテンツを制限した録画再生装置を提供することを目的とする。
【課題を解決するための手段】
【０００６】
本発明の録画再生装置は、前記課題を解決するために以下の構成を備えている。
【０００７】
（１）コンテンツデータがタイトル毎に記録されているメディアを参照して、前記メディア中のタイトルの一覧を再生開始前に表示する表示手段と、
前記表示手段で表示される前記一覧の中からタイトルが選択されると、そのタイトルを前記メディアから読取って再生する再生手段と、を備える録画再生装置において、
前記表示手段で表示される前記一覧の中で、表示を禁止するタイトルの指定を受付ける操作手段と、
前記操作手段で指定された前記タイトルの表示禁止を解除するための解除キーを予め記憶する半導体メモリが装着されるコネクタと、
前記操作手段で前記タイトルが指定されると、そのタイトルと、前記半導体メモリに記憶されている前記解除キーと、を前記メディア上で対応付ける記録手段と、を備え、
前記表示手段は、
前記一覧表示の際、前記操作手段で指定された前記メディア中の前記タイトルの表示を禁止し、
前記一覧表示の際、前記コネクタに前記半導体メモリが装着されている場合、前記操作手段で指定された前記メディア中の前記タイトルの内、その半導体メモリに記憶されている前記解除キーに対応付けられている前記タイトルのみ、前記表示禁止を解除する。
【０００８】
この構成において、録画再生装置は、例えばＨＤＤ、ＤＶＤレコーダである。メディアは、例えばＨＤ、ブルーレイディスク、ＤＶＤである。
メディアに記録されているコンテンツの視聴を制限したい場合、ユーザ（特に保護者）は、まず、解除キーが記録された半導体メモリをコネクタに装着する。次に、ユーザは、表示手段において表示されるタイトル一覧の中から、視聴制限したいコンテンツを含むタイトルを、タイトル一覧の中から操作手段で指定する。すると、記録手段が、指定されたタイトルと、解除キーと、をメディア上で対応付けする。言い換えれば、記録手段は、指定されたタイトルと、解除キーと、の対応関係をメディアに記録する。
【０００９】
そして、メディアに記録されているタイトルの一覧を表示する際、表示手段は、まず、該メディアを参照して、メディアに記録されているタイトルが解除キーと対応付けられているかどうかを判断する。そして、表示手段は、この判断結果に応じて表示内容を以下の３通りのいずれかに変える。
まず、メディアに記録されているタイトルが解除キーと対応付けられていない場合、表示手段は、そのタイトルの一覧を通常表示する。
次に、メディアに記録されているタイトルが解除キーと対応付けられている場合であってコネクタに半導体メモリが装着されていない場合、表示手段は、操作手段で指定されたメディア中のタイトルの表示を禁止する。そして、その他のタイトルの一覧を表示する。
最後に、メディアに記録されているタイトルが解除キーと対応付けられている場合であってコネクタに半導体メモリが装着されている場合、表示手段は、解除キーと対応付けられているタイトルの表示禁止を解除する。そして、そのタイトルの一覧を通常表示する。
上記３通りのタイトル一覧の中から、ユーザ（特に子供）は、再生したいタイトルを選択する。このため、表示が禁止されているタイトルをユーザ（特に子供）は、再生することができない。この表示禁止を解除する場合、ユーザ（特に保護者）は、解除キーが記録された半導体メモリをコネクタに装着すればよい。
以上より、パスワードの入力無しに、視聴できるコンテンツを制限することができる。従って、保護者は、パスワードの入力や管理に要する手間をかけることなく、子供が視聴できるコンテンツを制限することができる。
【００１０】
（２）前記記録手段は、前記コネクタに装着される半導体メモリに前記解除キーを記録する。
【００１１】
この構成によれば、ユーザは、自分の所有するＵＳＢメモリに解除キーを作成できる。また、ユーザは、解除キーを記憶したＵＳＢメモリを複数作成できる。
【００１２】
（３）前記記録手段は、前記対応付けとして、前記操作手段で指定された前記タイトルを、前記半導体メモリに記憶されている前記解除キーで不可視化する。
【００１３】
この構成において、不可視化とは、操作手段で指定されたタイトルに、隠しファイルの属性を設定する処理である。この処理は、解除キーによって、隠しファイルの属性を設定したり、設定解除したりする。
これにより、録画再生装置以外の装置（例えばパーソナルコンピュータ）でも、操作手段で指定されたタイトルが表示されないようにすることができる。
【発明の効果】
【００１４】
この発明によれば、パスワードの入力無しに、視聴できるコンテンツを制限することができる。従って、保護者は、パスワードの入力や管理に要する手間をかけることなく、子供が視聴できるコンテンツを制限することができる。
【発明を実施するための最良の形態】
【００１５】
以下、本発明の実施形態であるハードディスク記録装置について説明する。
【００１６】
図１は、本発明の実施形態であるハードディスク記録装置の構成を示すブロック図である。ハードディスク記録装置１は、コンテンツデータが記録（録画）されているハードディスク（以下、ＨＤと言う。）１０と、ＨＤ１０に対するコンテンツデータの録画、およびＨＤ１０に録画されているコンテンツデータの読取りを行うハードディスクディスクドライブ（以下、ＨＤＤと言う。）３と、テレビアンテナ４０からＨＤ１０に記録する番組のデータ（コンテンツデータ）の入力を受け付ける入力部４と、入力部４に入力された番組のデータをエンコードするエンコーダ５と、ＨＤＤ３がＨＤ１０から読取ったコンテンツデータをデコードするデコーダ６と、デコーダ６でデコードされたコンテンツデータを再生すべくテレビ（以下、ＴＶと言う。）７０に出力する出力部７と、を備えている。
【００１７】
また、ハードディスク記録装置１は、装置本体各部の動作を制御する制御部２と、ＵＳＢメモリ９０が装着されるＵＳＢコネクタ９と、ユーザからの入力操作を受付ける操作部８と、を備えている。
【００１８】
なお、ＨＤＤ３、デコーダ６、出力部７、ＴＶ７０が、本発明の「再生手段」に相当する。ＨＤ１０が、本発明の「メディア」に相当する。ＵＳＢコネクタ９が、本発明の「コネクタ」に相当する。ＵＳＢメモリ９０が、本発明の「半導体メモリ」に相当する。制御部２、ＴＶ７０が、本発明の「表示手段」に相当する。
【００１９】
入力部４は、例えばディジタルチューナで構成される。入力部４には、テレビ放送信号を受信するテレビアンテナ４０から、ＨＤ１０に記録する番組のデータ（コンテンツデータ）が入力される。さらに、入力部４には、番組のデータだけでなく、データの録画開始、読取開始、一時停止等、本体の制御部２からの制御信号も入力される。
エンコーダ５は、入力部４が受け付けたデータをＭＰＥＧ２等の所定の形式に圧縮する。そして、エンコーダ５は、圧縮したコンテンツデータをＨＤＤ３に供給する。
【００２０】
ＨＤＤ３は、コンテンツデータを記憶するＨＤ１０と、ＨＤ１０に対するコンテンツデータの録画、およびＨＤ１０に録画されているコンテンツデータの読取りを行う磁気ヘッド（不図示）と、を内蔵する。ＨＤ１０は、コンテンツデータを記憶するデータ記憶領域と、データ記憶領域に記録されているコンテンツデータの記憶管理を行うための管理情報を記憶する記憶管理領域と、に分割されている。管理情報は、録画済みの番組の全タイトルを含む情報である。ＨＤＤ３は、制御部２の指示により、その管理情報を制御部２に伝送する。
【００２１】
デコーダ６は、ＨＤＤ３がＨＤ１０から読み取ったコンテンツデータを（例えばＭＰＥＧ２で）伸長する。
出力部７は、デコーダ６が伸長したコンテンツデータをＴＶ７０に出力する。ＴＶ７０は、例えばディジタルテレビで構成される。ＴＶ７０は、コンテンツデータを処理して、番組を出力する。ユーザは、ＴＶ７０において、その番組を視聴する。
制御部２は、例えばマイクロコンピュータで構成される。制御部２は、装置本体各部の動作を制御する制御方法が記述された制御プログラムを記憶するＲＯＭと、該制御プログラムで処理されるデータを展開するワークフィールドとしてのＲＡＭと、を内蔵する。
【００２２】
操作部８には、ユーザからの入力操作を受付ける複数のキーが設けられている。操作部８は、押下されたキーに応じた制御信号（コマンド）を制御部２に伝送する。
上記複数のキーには、ＨＤ１０中の録画済みの番組のタイトル一覧（タイトルリスト）を表示するタイトル一覧表示キーと、そのタイトル一覧の中から再生タイトルを選択する選択キーと、そのタイトル一覧の中で、表示を禁止する隠蔽タイトルを指定する指定キーと、がある。
【００２３】
図２は、ＴＶ７０においてＯＳＤ表示されるタイトル一覧の一例を示す図である。タイトル一覧表示キーがユーザによって押下されると、制御部２は、ＨＤＤ３からＨＤ１０の管理情報を取得して、ＨＤ１０の記憶内容を参照する。そして、制御部２は、取得した管理情報から、ＨＤ１０中の録画済みの番組のタイトル一覧を示すＯＳＤ信号を作成する。そして、制御部２は、該ＯＳＤ信号を出力部７から出力する。この結果、ＴＶ７０において、図２に示すようなタイトル一覧がＯＳＤ表示される。
なお、図２では、恋愛番組Ｂは、暴力番組Ａより教育上好ましくない番組とする。
【００２４】
図３は、本発明の実施形態であるハードディスク記録装置の制御部が行う動作を示すフローチャートである。この動作は、図２に示すようなタイトル一覧が表示された時の動作である。
【００２５】
制御部２は、操作部８の指定キーで、タイトル一覧の中から隠蔽タイトルが指定されたかどうかを判断する（Ｓ１）。さらに、制御部２は、操作部８の選択キーで、タイトル一覧の中から再生タイトルが選択されたかどうかを判断する（Ｓ２）。
Ｓ１及びＳ２では、ユーザが、ＴＶ７０において表示されているタイトル一覧の中から、再生タイトルの選択か隠蔽タイトルの指定かを行う状態となっている。詳述すると、Ｓ１では、保護者が、視聴制限したいコンテンツを含むタイトル（例えば暴力番組Ａ、恋愛番組Ｂ）をタイトル一覧の中から指定キーで指定する。また、Ｓ２では、ユーザが、再生したいタイトルをタイトル一覧の中から選択キーで選択する。
【００２６】
Ｓ２において再生タイトルが選択されると、制御部２は、再生タイトルをＨＤ１０から読取って再生するようＨＤＤ３に指示し（Ｓ３）、本処理を終了する。これにより、再生タイトルに含まれるコンテンツデータがＴＶ７０において再生される。
【００２７】
Ｓ１において隠蔽タイトルが指定されると、制御部２は、ＵＳＢメモリ９０がＵＳＢコネクタ９に装着されているかどうかを判断する（Ｓ４）。
【００２８】
ＵＳＢメモリ９０がＵＳＢコネクタ９に装着されていなければ、制御部２は、ＵＳＢメモリの接続をＴＶ７０で要求し（Ｓ５）、Ｓ１に戻り処理を継続する。この接続要求は、ＯＳＤで行い、例えば「ＵＳＢメモリを接続してください」である。ユーザは、このメッセージを見て、ＵＳＢメモリを接続する。
【００２９】
一方、ＵＳＢメモリ９０がＵＳＢコネクタ９に装着されていれば、制御部２は、解除キーがＵＳＢメモリ９０に記憶されているかどうかを判断する（Ｓ６）。解除キーは、指定キーで指定されたタイトルの表示禁止を解除するためのデータである。
【００３０】
解除キーがＵＳＢメモリ９０に記憶されていなければ、制御部２は、解除キーを作成して、ＵＳＢコネクタ９に装着されているＵＳＢメモリ９０に記録する（Ｓ７）。ここで、制御部２は解除キーをＵＳＢメモリ毎にランダムに作成する。解除キーは、複数個、ＲＯＭに予め記述しておくのが好ましい。Ｓ７により、ユーザは、自分の所有するＵＳＢメモリに解除キーを作成できる。また、ユーザは、解除キーを記憶したＵＳＢメモリを複数作成できる。
【００３１】
図４は、隠蔽タイトルと解除キーとの対応関係を示す図である。図４に示される解除キー先頭の「×０」は、解除キーの情報が１６進数で記述されていることを示している。
解除キーをＵＳＢメモリ９０に記録すると、又は、解除キーがＵＳＢメモリ９０に記憶されていれば、制御部２は、その解除キーと、Ｓ１で指定された隠蔽タイトルと、をＨＤ１０上で対応付けて（図４参照）、その隠蔽タイトルを不可視化する（Ｓ８）。そして、制御部２は本処理を終了する。ここで、対応付け及び不可視化について詳述する。対応付け及び不可視化は、ＨＤ１０の管理情報において行われる。対応付けは、図４に示される対応関係をＨＤ１０に管理情報として持たせることにより行われる。例えばユーザが暴力番組Ａを指定すると、制御部２が、暴力番組Ａに解除キーを対応付けてＨＤＤ３に記録する。ＨＤＤ３は、この対応関係を管理情報としてＨＤ１０に記録する。次に、不可視化とは、Ｓ１で指定された隠蔽タイトルに、隠しファイルの属性を制御部２が設定する処理である。この処理は、解除キーによって、隠しファイルの属性を設定したり、設定解除したりする。この処理により、管理情報において、図３のＳ１で指定された隠蔽タイトルに、隠しファイルの属性が付与される。これにより、ハードディスク記録装置１以外の装置（例えばパーソナルコンピュータ）でも、隠蔽タイトルが表示されないようにすることができる。
【００３２】
図５は、本発明の実施形態であるハードディスク記録装置の制御部が行う動作を示すフローチャートである。この動作は、ユーザがタイトル一覧表示キーを押下した時の動作である。
【００３３】
タイトル一覧表示キーが押下されると、制御部２は、ＨＤ１０の管理情報を参照して、Ｓ１で指定された隠蔽タイトルがＨＤ１０に存在するかどうかを判断する（Ｓ１０１）。
【００３４】
隠蔽タイトルがＨＤ１０に存在しない場合、制御部２は、ＨＤ１０に記録されているタイトル一覧をＴＶ７０において図２に示すように通常表示する（Ｓ１０２）。この後、制御部２は図３のタイトル一覧表示ルーチンに移行する。
【００３５】
一方、隠蔽タイトルがＨＤ１０に存在する場合、制御部２は、ＵＳＢメモリ９０がＵＳＢコネクタ９に装着されているかどうかを判断する（Ｓ１０３）。
【００３６】
ＵＳＢメモリ９０がＵＳＢコネクタ９に装着されている場合、制御部２は、ＵＳＢメモリ９０に解除キーが記憶されているかどうかを判断する（Ｓ１０４）。
【００３７】
ＵＳＢメモリ９０に解除キーが記憶されている場合、制御部２は、ＨＤ１０の管理情報を参照して、解除キーに対応するタイトルがあるかどうかを判断する（Ｓ１０５）。例えば、現在ＵＳＢコネクタ９に装着されているＵＳＢメモリ９０の解除キーが「０×６９９１」であれば、恋愛番組Ｂと一致するため、判断肯定となる。
【００３８】
図６は、ＴＶ７０においてＯＳＤ表示されるタイトル一覧の一例を示す図である。
Ｓ１０３においてＵＳＢメモリ９０がＵＳＢコネクタ９に装着されていない場合、Ｓ１０４においてＵＳＢメモリ９０に解除キーが記憶されていない場合、Ｓ１０５において解除キーに対応するタイトルがない場合、制御部２は、図３のＳ１で指定された隠蔽タイトルを除いて、ＨＤ１０に記録されているタイトル一覧をＴＶ７０において図６に示すように表示する（Ｓ１０６）。そして、制御部２は図３のタイトル一覧表示ルーチンに移行する。Ｓ１０６について詳述すると、制御部２は、図３のＳ１で指定された隠蔽タイトルかどうかを管理情報に基づいて判断して、隠蔽タイトルを除く。隠蔽タイトルであれば、図４に示す対応関係が管理情報に記述されているので、制御部２はこの記述を参照する。
【００３９】
ここで、子供は、図６で表示されていない隠蔽タイトルを図３のＳ２で選択できない。即ち、隠蔽タイトルを再生できない。一方、図６で表示されていない隠蔽タイトルを視聴したい場合、保護者は、解除キーが記憶されているＵＳＢメモリ９０をＵＳＢコネクタ９に装着しておく。
【００４０】
図７は、ＴＶ７０においてＯＳＤ表示されるタイトル一覧の一例を示す図である。
一方、Ｓ１０５においてＵＳＢメモリ９０に解除キーが記憶されている場合、制御部２は、図３のＳ１で指定された隠蔽タイトルの内、ＵＳＢメモリ９０に記憶されている解除キーに対応付けられているタイトルのみ、表示禁止を一時的に解除する（Ｓ１０７）。例えば、現在ＵＳＢコネクタ９に装着されているＵＳＢメモリ９０の解除キーが「０×６９９１」であれば、恋愛番組Ｂのみ表示禁止を一時的に解除する。
そして、制御部２は、ＨＤ１０に記録されているタイトル一覧をＴＶ７０において図７に示すように表示する（Ｓ１０８）。そして、制御部２は図３のタイトル一覧表示ルーチンに移行する。これにより、保護者は、図６で表示されていなかった隠蔽タイトルの恋愛番組Ｂを再生できる（図７参照）。ここで、図６で表示されていなかった隠蔽タイトルの暴力番組Ａを再生したい場合、ユーザは、解除キー「０×８７７２」が記録されている別のＵＳＢメモリをＵＳＢコネクタ９に装着すればよい。
【００４１】
以上より、パスワードの入力無しに、視聴できるコンテンツを制限することができる。従って、保護者は、パスワードの入力や管理に要する手間をかけることなく、子供が視聴できるコンテンツを制限することができる。
【図面の簡単な説明】
【００４２】
【図１】本発明の実施形態であるハードディスク記録装置の構成を示すブロック図
【図２】ＴＶ７０においてＯＳＤ表示されるタイトル一覧の一例を示す図
【図３】本発明の実施形態であるハードディスク記録装置の制御部が行う動作を示すフローチャート
【図４】隠蔽タイトルと解除キーとの対応関係を示す図
【図５】本発明の実施形態であるハードディスク記録装置の制御部が行う動作を示すフローチャート
【図６】ＴＶ７０においてＯＳＤ表示されるタイトル一覧の一例を示す図
【図７】ＴＶ７０においてＯＳＤ表示されるタイトル一覧の一例を示す図
【符号の説明】
【００４３】
１−ハードディスク記録装置
２−制御部
３−ＨＤＤ
４−入力部
５−エンコーダ
６−デコーダ
７−出力部
８−操作部
９−ＵＳＢコネクタ
１０−ＨＤ
４０−テレビアンテナ
７０−ＴＶ
９０−ＵＳＢメモリ
【図１】
2008271005.tif 000003
【図２】
2008271005.tif 000004
【図３】
2008271005.tif 000005
【図４】
2008271005.tif 000006
【図５】
2008271005.tif 000007
【図６】
2008271005.tif 000008
【図７】
2008271005.tif 000009